(57)【要約】      （修正有）【課題】サイドフックタイプの抽出用バッグは、連続した長尺の包材シートに予めホルダーを固着させたものを利用して連続的に製袋充填できるが、既存のものは、袋体の上辺側を切り裂いて開封するので、切り裂き片が出て邪魔になる。【解決手段】二つ折りし、三辺がシールされた矩形の平袋体３の二つ折り辺にミシン目を形成し、このミシン目を切り開くことで開封し、開口１３とすることで、切り裂き片がでないようにする。また、ホルダーを二つに分離して一対設けた場合には、連続した長尺の包材シートの一袋分に二つのホルダーが二つ折り辺の両側に分けて配されることになるので、この二つ折り辺を長手方向に連続させることで、製袋化の過程で長手方向の二つ折り辺が正確に折られる。【選択図】図５
2016019597.tif 000002
【特許請求の範囲】
【請求項１】
フィルター機能を有する包材シートにより構成された袋体と、前記袋体の外面に被さって固着されたホルダーとを有し、抽出時には前記袋体を開封するタイプの抽出用バッグにおいて、
前記袋体は、二つ折りし、三辺がシールされた矩形の平袋体になっており、前記二つ折り辺に易破断線を形成し、この易破断線を切り開くことで開封し、開口とすることを特徴とする抽出用バッグ。
【請求項２】
請求項１に記載した抽出用バッグにおいて、
ホルダーは一対の係止部によって構成され、それぞれ平袋体の両外面に固着されていることを特徴とする抽出用バッグ。
【請求項３】
連続した長尺の包材シートであって、その長手側に当たる縦方向両縁部を互いに重ね合わせ縦シールして筒状にすると共に、前記筒状体に対して所定の間隔をおいて上下二箇所から横シールすることにより、請求項２に記載した抽出用バッグに製袋化するのに使用するホルダー固着済みの包材シート。
【発明の詳細な説明】
【技術分野】
【０００１】
本発明は、コーヒー粉等の抽出に用いる抽出用バッグに係り、詳しくは、濾紙や不織布等からなるフィルター機能を有する包材シートで構成された袋体と、その袋体を支持するホルダーを備え、使用時にはそのホルダーをカップの開口縁に係止させ、抽出したものをカップ内に滴下するドリップタイプの抽出用バッグに関するものである。
【背景技術】
【０００２】
ドリップタイプの抽出用バッグは、通常、矩形のフィルター材が二つ折りされ周縁である三辺が重ね合わされ、超音波シールやヒートシール等の手法でその三辺側がシール封止されて扁平な矩形状の平袋体を用いており、抽出時には、その袋体を開封してその開口から充填されたコーヒー粉に向かって湯を注いでいる。
【先行技術文献】
【特許文献】
【０００３】
【特許文献１】特開平５−１１５３７８号公報
【発明の概要】
【発明が解決しようとする課題】
【０００４】
而して、平袋体には、通常、特許文献１に示すように、抽出用バッグの上辺に沿って平行にミシン目が設けられており、そのミシン目を切り裂いて開封するようになっていることから、開封することで切り裂き片がでてしまう。この切り裂き片は、抽出中は、テーブルの上に置かれ、そのまま忘れ去られたりすることが往々にしてある。また、コーヒー粉が付いていたりすると、テーブルに置いたときにそのコーヒー粉がテーブルに付着してしまうこともある。
【０００５】
また、抽出用バッグを、ホルダーが袋体を側方から支持するサイドフックタイプにすれば、連続した長尺の包材シートに予めホルダーを所定の間隔を置いて複数固着させるものを利用できるので、製袋しながらのコーヒー粉の充填を行う製袋充填装置で製造でき、製造効率が良い。
【０００６】
それ故、本発明は、上記した問題点を解消した、新規且つ有用な抽出用バッグを提供することを、その目的とする。
また、抽出用バッグをサイドフックタイプにすることで、製袋充填装置に利用できる専用の包材シートを提供することを、その目的とする。
【課題を解決するための手段】
【０００７】
本発明は、上記目的を達成するために、請求項１の発明は、フィルター機能を有する包材シートにより構成された袋体と、前記袋体の外面に被さって固着されたホルダーとを有し、抽出時には前記袋体を開封するタイプの抽出用バッグにおいて、前記袋体は、二つ折りし、三辺がシールされた矩形の平袋体になっており、前記二つ折り辺に易破断線を形成し、この易破断線を切り開くことで開封し、開口とすることを特徴とする抽出用バッグであるである。
【０００８】
請求項２の発明は、請求項１に記載した抽出用バッグにおいて、ホルダーは一対の係止部によって構成され、それぞれ平袋体の両外面に固着されていることを特徴とする抽出用バッグである。
【０００９】
請求項３の発明は、連続した長尺の包材シートであって、その長手側に当たる縦方向両縁部を互いに重ね合わせ縦シールして筒状にすると共に、前記筒状体に対して所定の間隔をおいて上下二箇所から横シールすることにより、請求項２に記載した抽出用バッグに製袋化するのに使用するホルダー固着済みの包材シートである。
【発明の効果】
【００１０】
本発明の抽出用バッグによれば、平袋体を切り裂いて開封する際に、切り裂き片はでない。
また、抽出用バッグをサイドフックタイプにすることで、製袋充填装置にかけて連続的に製造するのに使用できる、専用の包材シートを提供することを、その目的とする。
【図面の簡単な説明】
【００１１】
【図１】本発明の第１の実施の形態に係る抽出用バッグの側面図である。
【図２】図１の抽出用バッグの平袋体のシール辺を分離して展開した平面図である。
【図３】図１の抽出用バッグの平袋体を開封して開口が形成されていく過程を示す説明図である。
【図４】図３に続いて、抽出用バッグのホルダーが引き起こされていく過程を示す説明図である。
【図５】図４に続いて、抽出用バッグをカップに係止させた状態を示す斜視図である。
【図６】図１の抽出用バッグの製造に使用する連続した包材シートの平面図である。
【図７】図６の包材シートから抽出用バックが製造される過程の説明図である。
【図８】本発明の第２の実施の形態に係る抽出用バッグの側面図である。
【図９】図８の抽出用バッグをカップに係止させた状態を示す斜視図である。
【発明を実施するための形態】
【００１２】
本発明の第１の実施の形態に係る抽出用バッグ１を図面にしたがって説明する。
図１に示すように、抽出用バッグ１は、平袋体３と、この平袋体３が開封されて立体状になった状態を支持しながらカップの開口縁に係止させるためのホルダー２１とを有している。
平袋体３は、濾紙や不織布等からなるフィルター機能を有する包材シート５で構成されている。この包材シート５は中央で二つ折りされており、この二つ折り辺７を介して矩形の両側面９、９に分かれている。この二つ折り辺７には細かいミシン目１１（図２）が形成されて易破断になっており、破断されると開口１３（図３）となる。重ね合った周縁部分である三辺１５、１７、１９側が超音波シール等の手段でシール封止されて扁平な平袋状に製袋化されており、シール辺１７が底辺になっている。平袋体３内にはコーヒー粉Ｐが充填されている。
【００１３】
ホルダー２１は横長の略長方形で、左右対称の形状をしている。この左右方向の中心線側を連結部２３として、一対の係止部２５、２５が左右両側に配されている。各係止部２５には、端部寄りに係止用逆凹部２７が形成されている。そして、この左右の係止用逆凹部２７、２７の間は、帯状の抱持部２９が架け渡されている。
一対の係止部２５、２５及び帯状の抱持部２９は、ホルダー２１に切込みを設けて形成したものであり、ホルダー２１の包材シート５への固着側とは、連結部２３の上下に配された連続部３１、３１だけを介して連続している。
また、折り線３３、３５、３７、３９が形成されており、折り線３３は連結部２３上でその両側の係止部２５、２５を引き起こす方向に折られ、折り線３５、３７は係止部２５側を立ち上げる方向に折られ、折り線３９は把持部２９をその中心部が頂部となって手前側に突き出すように折られている。
【００１４】
連結部２３は、図１の斜線部分に示すように、接着剤Ａを介して包材シート５に固着されており、さらに、一対の係止部２５、２５の上側と、一対の係止部２５、２５の下側と抱持部２９との間の部分は、全面的に接着剤Ａを介して包材シート５側に固着されている。
また、ホルダー２１は、図２の展開図に示すように、一つの平袋体３に対して一対備えられている。一対のホルダー２１、２１は平袋体３の両側面９、９に外方からそれぞれ被さり、固着されて一体化されており、二つ折り辺７を境に対称に配されている。
【００１５】
次に、カップＣへの設置作業を説明する。
図３（ａ）に示すように、抽出用バッグ１の平袋体３の各側面部９の包材シート５をそれに固着したホルダー２１の上側部分と共に親指Ｆ１と人差し指Ｆ２との間にそれぞれ挟んで摘み、図３（ｂ）に示すように、互いに離す方向に引っ張って、二つ折り辺７をミシン目１１に沿って切り開き、両側面部９、９を分離する。これにより、開口１３が出来、充填していたコーヒー粉Ｐが露出する。
【００１６】
次に、図４に示すように、抱持部２９を掴み手として利用し、それを親指Ｆ１と人差し指Ｆ２とで掴んで、互いに離す方向に引っ張ると、折り線３３、３５、３７の折りによって、係止部２５、２５が立ち上がるので、図５に示すように、その立ち上がった係止用逆凹部２７、２７をカップＣの開口縁Ｃ１に係止させ、その後、抱持部２９を離して、カップＣの側面をその抱持部２９で外側から抱持した状態とする。
【００１７】
上記したように、平袋体３の開口１３はミシン目１１を切り開いて作り、平袋体３からは何も分離しないので、小さいゴミ片はでない。
湯を注ぐと、その重みで平袋体３を元の平袋状に戻そうとする方向に力が作用するが、この抱持部２９が設けられたことで、係止用逆凹部２７、２７の対向姿勢を保持する方向に働くので、係止用逆凹部２７、２７は最初の係止位置で安定的に維持され、それに固着された平袋体３も開口姿勢が維持される。
【００１８】
抽出用バッグ１は、図６に示すように、一袋分の包材シート５を連続して長尺とした包材シート４１を利用して製造できる。
この連続した包材シート４１は上下方向が長手方向になっており、一対のホルダー２１が上下方向に一定の間隔をおいて重ね合わされて、固着されている。一対のホルダー２１どうしの間は二つ折り予定部になっており、ミシン目１１が形成されている。また、左右両側の一点鎖線部分は縦シール予定部４３になっている。また、上下方向の一点鎖線部分は横シール予定部４５になっている。上下に隣り合う横シール予定部４５、４５で区切られた部分が１つの平袋体３を形成する包材シート５になっている。一対のホルダー２１、２１が一袋分の包材シート５内に収まっている。
【００１９】
上記した構成の連続した包材シート４１を、製袋充填装置にかける。図７に示すように、製袋充填装置は、サイドフックタイプのホルダーを設けた抽出用バッグを製造する典型的なタイプのものであり、投入シュートＮと、縦シール手段Ｘと、横シール手段Ｙとを備えている。各シール手段は、超音波ホーンと受けロールとが対向した構成になっている。
投入シュートＮは円筒状で内部が被抽出物であるコーヒー粉Ｐを供給する通路になっている。
【００２０】
連続した包材シート４１はロール状に巻き取られており、そこから繰り出され、長手方向を下向きに投入シュートＮの外面に沿わせながら送り出される。途中で、二つ折りされ、縦シール手段Ｘにより縦シール予定部４３がシールアンドカットされシール辺１７が作られて、筒状体となっていく。
連続した包材シート４１は、さらに下向きに送り出され、今度は横シール手段Ｙにより横シール予定部４５がシールアンドカットされ、先行側にはシール辺１５が作られ、後続側には、シール辺１９が作られる。
【００２１】
先行側は、既にコーヒー粉Ｐが充填されているので、シール辺１５の形成によりシール封止されると共に、連続した包材シート４１から切り離され、完成した抽出用バッグ１として落下していく。後続側はシール辺１９の形成により底ができるので、コーヒー粉Ｐが投入・充填される。この後続側は、下向きに送り出されると、先行側と同様にシール辺１５が形成され、完成した抽出用バッグ１として落下していく。
このようにして、抽出用バッグ１が連続的に製造されていく。
【００２２】
上記したように、二つ折りする部位には、ミシン目１１が形成されており、結果的にそのミシン目１１の折り易さが利用されて正確に折られる。従って、特別、調整機構を設けずとも、平袋体３の二つ折り辺７にミシン目１１が綺麗に重なる。
このように、ミシン目１１は、完成品たる抽出用バッグ１の使用時だけでなく、その製造時にも価値のあるものとなっている。
【００２３】
本発明の第２の実施の形態に係る抽出用バッグ５１について、図８にしたがって説明する。
この抽出用バッグ５１は、ホルダー５３の形状が、第１の実施の形態に係るホルダー２１と異なっている。
このホルダー５３も左右対称の形状をしており、この左右方向の中心部を連結部５５として一対の係止部５７、５７が左右両側に配されている。一対の係止部５７、５７の間には、帯状の摘み部５９が架け渡されている。
【００２４】
一対の係止部５７、５７およびその間の連結部５５も、ホルダー５３に切込みを設けて形成したものであり、ホルダー５３の包材シート５への固着側とは、連結部５５を介して連続している。
この抽出用バッグ５１も、抽出用バッグ１と同様にして、二つ折り辺７をミシン目１１に沿って切り開いて、開口１３を作る。その後は、二つの摘み部５９、５９をそれぞれ摘んで、互いに離す方向に引っ張り、全体を引き起こすと共に、一対の係止部５７、５７を、カップＣの開口縁Ｃ１に係止させる。
【００２５】
抽出用バッグ５１も、一対のホルダー５３、５３が、一袋分の包材シート５に収まっており、その二つ折り辺７を開口として利用できるので、抽出用バッグ１と同様に、連続して長尺とした包材シート４１を利用して製造できる。
【００２６】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、ドリップコーヒー用の抽出用バッグを例示したが、紅茶やハーブティーなどの抽出用バッグとしても同様に実施することができる。
【産業上の利用可能性】
【００２７】
本発明の抽出用バッグは製袋充填装置にかけて被充填物を充填しながら製袋できる。
【符号の説明】
【００２８】
１……抽出用バッグ（第１の実施の形態）
３……平袋体                          ５……包材シート
７……二つ折り辺                      ９……両側面
１１……ミシン目                      １３……開口
１５、１７、１９…シール辺            ２１……ホルダー
２３…連結部                          ２５…係止部
２７…係止用逆凹部                    ２９…抱持部
３１…連続部                          ３３、３５、３７、３９…折り線
Ｐ……コーヒー粉                      Ａ……接着剤      
Ｃ……カップ                        Ｃ１……（カップの）開口縁
４１……連続した長尺の包材シート      ４３……縦シール予定部
４５……横シール予定部
５１……抽出用バッグ（第２の実施の形態）
５３……ホルダー                      ５５……連結部
５７……係止部                        ５９……摘み部
【図１】
2016019597.tif 000003
【図２】
2016019597.tif 000004
【図３】
2016019597.tif 000005
【図４】
2016019597.tif 000006
【図５】
2016019597.tif 000007
【図６】
2016019597.tif 000008
【図７】
2016019597.tif 000009
【図８】
2016019597.tif 000010
【図９】
2016019597.tif 000011